(57)【要約】【課題】所望の複数月の暦を一覧表示させることができるとともに、何カ月分を一覧表示させた状態であっても、つり下げ可能な構成を備えたカレンダーを提案すること。【解決手段】本発明のカレンダー１は、それぞれに暦Ｋ１，Ｋ２，〜Ｋ１２が表示された複数のシートＳ１，Ｓ２，〜Ｓ１２を、互いに折り曲げ可能に連結し、各シートには、連結部Ｒ１，Ｒ２，〜Ｒ１１の近傍につり下げ用の孔Ｈ１１〜Ｈ１２２が形成されている。【選択図】            図１
2004255694.tif 000002
【特許請求の範囲】
【請求項１】
それぞれに暦が表示された複数のシートを、互いに折り曲げ可能に連結したことを特徴とするカレンダー。
【請求項２】
各シートには、つり下げ用の孔が形成されていることを特徴とする請求項１に記載のカレンダー。
【請求項３】
各シートのつり下げ用の孔は、各シートを折り曲げて重ねた状態において、互いに一致して重なり合う位置に形成されていることを特徴とする請求項１〜２の何れか１項に記載のカレンダー。
【請求項４】
各シートのつり下げ用の孔は、隣り合うシートとの連結部の近傍に配設されていることを特徴とする請求項１〜３の何れか１項に記載のカレンダー。
【請求項５】
複数のシートの各面には、それぞれ１月分の暦が表示されていることを特徴とする請求項１〜４の何れか１項に記載のカレンダー。
【請求項６】
複数のシートは月順に連結されていることを特徴とする請求項１〜５の何れか１項に記載のカレンダー。
【請求項７】
複数のシートは、山折りによる折り曲げ可能な連結部と、谷折りによる折り曲げ可能な連結部とが交互に配設されることによって連結されていることを特徴とする請求項１〜６の何れか１項に記載のカレンダー。
【請求項８】
谷折りによる折り曲げ可能な連結部は、山折りも可能に形成されていることを特徴とする請求項１〜７の何れか１項に記載のカレンダー。
【発明の詳細な説明】
【０００１】
【発明の属する技術分野】
本発明は、複数の月の暦が表示されたカレンダーに関するものである。
【０００２】
【従来の技術】
従来より、月毎の暦が表示されたシートを順に綴じたカレンダーや、独立したシートをケースに入れたカレンダー等が使用されている。これらのカレンダーには、予定等のメモを書き込んで使用されることが多い。また、過去の月の暦部分は破棄されることが多かった。
また、１年分のカレンダーを壁面等につり下げやすくするために、綴じたカレンダーにつり下げ用の孔を設けたカレンダーも提案されている。（例えば、特許文献１参照）
【０００３】
【特許文献１】
特開２００１−４７７６９
【０００４】
【発明が解決しようとする課題】
ところが、上述したような従来のカレンダーは、開いた状態の１月分の暦は一覧できるが、前月や次月、もしくは数カ月前後の暦を一覧することはできず、別の月の暦に書き込んだ予定等のメモを見たいときには、その都度、つり下げたカレンダーを取り外して、めくってみなければならないという不便さがあった。
特に、先月等のように過去の月のメモを見ようとしても、既に破棄されて確認できない場合が多々あった。
【０００５】
そこで、本発明は、所望の複数月の暦を一覧表示させることができるとともに、何カ月分を一覧表示させた状態であっても、つり下げ可能な構成を備えたカレンダーを提案することを目的としてなされたものである。
【０００６】
【課題を解決するための手段】
本発明にかかるカレンダーは、請求項１において、それぞれに暦が表示された複数のシートを、互いに折り曲げ可能に連結するという手段を講じた。
請求項２においては、各シートには、つり下げ用の孔が形成されている構成とした。
請求項３においては、各シートのつり下げ用の孔は、各シートを折り曲げて重ねた状態において、互いに一致して重なり合う位置に形成されている構成とした。
【０００７】
請求項４においては、各シートのつり下げ用の孔は、隣り合うシートとの連結部の近傍に配設されている構成とした。
請求項５においては、複数のシートの各面には、それぞれ１月分の暦が表示されている構成とした。
請求項６においては、複数のシートは月順に連結されている構成とした。
請求項７においては、複数のシートは、山折りによる折り曲げ可能な連結部と、谷折りによる折り曲げ可能な連結部とが交互に配設されることによって連結されている構成とした。
請求項８においては、谷折りによる折り曲げ可能な連結部は、山折りも可能に形成されている構成とした。
【０００８】
【作用】
本発明にかかるカレンダーは、請求項１において、それぞれに暦が表示された複数のシートを、互いに折り曲げ可能に連結したので、必要な暦の部分のシートのみを開いて他のシートは折り曲げて重ねることによって、必要な暦の部分のみが一覧表示される。
請求項２においては、各シートには、つり下げ用の孔が形成されているので、壁面等に取り付けられた係止突起等を、前記つり下げ用の孔に差し込めば、カレンダーは壁面等に係止される。
請求項３においては、各シートのつり下げ用の孔は、各シートを折り曲げて重ねた状態において、互いに一致して重なり合う位置に形成されているので、折り曲げて重ねたシートにそれぞれ形成されたつり下げ用の孔に、前記係止突起等を差し込めば、折り曲げた状態で係止される。
【０００９】
請求項４においては、各シートのつり下げ用の孔は、隣り合うシートとの連結部の近傍に配設されているので、各シートの中央部分、即ち、一般的に暦が表示されている部分の邪魔にならない。
請求項５においては、複数のシートの各面には、それぞれ１月分の暦が表示されているので、１月分ずつ一覧表示される。
請求項６においては、複数のシートは月順に連結されているので、前月と次月とが当月の前後に表示される。
請求項７においては、複数のシートは、山折りによる折り曲げ可能な連結部と、谷折りによる折り曲げ可能な連結部とが交互に配設されることによって連結されているので、山折りと谷折りを交互に繰り返すことによって、最小の面積に折り畳まれる。
請求項８においては、谷折りによる折り曲げ可能な連結部は、山折りも可能に形成されているので、不必要なシートは、背面側へ折り畳んで隠すことができる。
【００１０】
【発明の実施の形態】
以下に、本発明にかかるカレンダーを、その実施の形態を示した図面に基づいて詳細に説明する。
【００１１】
図１は本発明の実施形態のカレンダーの斜視図、図２のその平面図である。
図１において、カレンダー１は、１２枚のシートＳ１、Ｓ２、・・・、Ｓ１２が連結部Ｒ１、Ｒ２、・・・、Ｒ１１で互いに折り曲げ可能に連結されて形成されている。
各シートＳ１、Ｓ２、・・・、Ｓ１２には、それぞれ各月の暦Ｋ１、Ｋ２、・・・、Ｋ１２が表示されている。
即ち、図２にも示したように、１月のシートＳ１には１月分の暦Ｋ１が表示され、２月のシートＳ２には２月分の暦Ｋ２が表示され、以下同様にして１２月分まで順次表示されている。
【００１２】
各月の暦は、それぞれ一覧表示状態において上下方向が一致するように同じ向きに表示されている。なお、裏面にも暦を表示してもよい。
前記各連結部は山折りと谷折りとが交互に配設されている。即ち、１月と２月の間の連結部Ｒ１は谷折り、２月と３月の間の連結部Ｒ２は山折り、３月と４月の間の連結部Ｒ３は谷折り、４月と５月の間の連結部Ｒ４は山折り、・・・（以下略）のように交互に折り曲げ可能に形成されている。
【００１３】
各月のシートにはそれぞれ上部のつり下げ孔と下部のつり下げ孔とが設けられている。即ち、１月のシートＳ１の上部には２つのつり下げ孔Ｈ１１，Ｈ１１が設けられ、下部には２つのつり下げ孔Ｈ１２，Ｈ１２が設けられ、２月のシートＳ２の上部には２つのつり下げ孔Ｈ２１，Ｈ２１が設けられ、下部には２つのつり下げ孔Ｈ２２，Ｈ２２が設けられ、３月のシートＳ３の上部には２つのつり下げ孔Ｈ３１，Ｈ３１が設けられ、下部には２つのつり下げ孔Ｈ３２，Ｈ３２が設けられ、以下同様にして１２月のシートＳ１２まで、それぞれつり下げ孔が設けられている。
そして、各シートのつり下げ用の孔は、各シートを折り曲げて重ねた状態において互いに一致して重なり合う位置に、且つ、隣り合うシートとの連結部の近傍に配設されている。
【００１４】
従って、例えば、１月のシートＳ１と２月のシートＳ２とを、連結部Ｒ１を谷折りにして折り畳んで重ねた場合には、シートＳ１の下部のつり下げ孔Ｈ１２，Ｈ１２と、シートＳ２の上部のつり下げ孔Ｈ２１，Ｈ２１とが同じ位置に重なり合う。従って、壁面等に設けたつり下げフック等を前記つり下げ孔Ｈ１２，Ｈ１２，Ｈ２１，Ｈ２１に差し込んで、カレンダー１を壁面等につり下げることができるのである。
【００１５】
なお、図１の例では、連結部Ｒ１は谷折り可能に形成されているが、山折りも可能に形成されている場合もある。どちら側にも折り曲げ可能に形成することによって、種々の形態に折り畳んで一覧表示させることができる。
図３に示したように、例えば、１１月になった時には、１月から１０月までのシートＳ１〜Ｓ１０を折り畳み、１１月のシートＳ１１と、１２月のシートＳ１２とが表になるようにして、フックＦにつり下げるとよい。過去の月のメモを見たい場合には、フックから外してめくれば直ちに確認できる。
【００１６】
図１、２の例では、各月のシートを縦方向に連結したが、図４に示したように、横方向に連結してカレンダー４１を構成してもよい。このとき、つり下げ孔４Ｈは横辺の近傍に形成し、２本以上のフックにつり下げるようにするとよい。
また、各シートには、１月分を表示することに限定されるものではなく、１月分の暦を複数のシートにまたがって表示してもよい。また、１枚のシートに複数月分の暦を表示してもよい。
また、各シートには、暦とともにメモ記入欄を設けることが好ましく、写真等を表示してもよい。
【００１７】
本発明にかかるカレンダーは、請求項２においては、各シートには、つり下げ用の孔が形成されている構成としたが、つり下げ用の孔は１個以上であればよく、その個数は必要に応じて適宜数設定することができる。
また、請求項３においては、各シートのつり下げ用の孔は、各シートを折り曲げて重ねた状態において、互いに一致して重なり合う位置に形成したが、各シートのどの部分でもよい。
また、請求項４においては、各シートのつり下げ用の孔は、隣り合うシートとの連結部の近傍に配設したが、他の部分でもよい。
【００１８】
また、請求項５においては、複数のシートの各面には、それぞれ１月分の暦が表示されている構成としたが、上述したように１月分に限定されない。
請求項７においては、複数のシートは、山折りによる折り曲げ可能な連結部と、谷折りによる折り曲げ可能な連結部とが交互に配設されることによって連結されている構成としたが、各シートの長さを順次短くして、順次内部に折り込んでいけるように構成してもよい。この場合には、各連結部は、全て山折りもしくは全て谷折りにしてもよい。
請求項８においては、谷折りによる折り曲げ可能な連結部は、山折りも可能に形成されている構成としたが、山折りによる折り曲げ可能な連結部は、谷折りも可能に形成されている構成としてもよい。
【００１９】
【発明の効果】
以上のように、本発明の請求項１は、それぞれに暦が表示された複数のシートを、互いに折り曲げ可能に連結して、必要な暦の部分のシートのみを開いて他のシートは折り曲げて重ねることによって、必要な暦の部分のみが一覧表示されるようにしたので、所望の月を表側に出して一覧表示することができる。特に、過去の月のシートを破棄する必要がないので、過去のメモを随時確認することができる。
請求項２においては、各シートには、つり下げ用の孔を形成して壁面等につり下げることができるようにしたので、机の上等の邪魔にならず、何時でも見て確認することができる。
請求項３においては、各シートのつり下げ用の孔は、重なり合う位置に形成したので、折り曲げた状態でつり下げて使用できる。
【００２０】
請求項４においては、各シートのつり下げ用の孔は、隣り合うシートとの連結部の近傍に配設して一般的に暦が表示されている部分の邪魔にならないようにしたので、暦の部分が見やすい。
請求項５においては、各シートに１月分ずつ一覧表示されるようにしたので、１月分の暦や予定を把握しやすい。
請求項６においては、複数のシートは月順に連結されているので前後関係を把握しやすい。
請求項７においては、複数のシートを、山折りと谷折りを交互に繰り返すことによって、最小の面積に折り畳むことができるので、必要の無い月は邪魔にならないようにコンパクトに折り畳んで使用できる。
請求項８においては、谷折りによる折り曲げ可能な連結部は、山折りも可能に形成したので、さらに、自由に折り畳むことができる。
【図面の簡単な説明】
【図１】本発明にかかるカレンダーの実施の形態の斜視図である。
【図２】前記カレンダーの平面図である。
【図３】前記カレンダーの使用状態の側面図である。
【図４】他の実施形態の説明図である。
【符号の説明】
１    カレンダー
４１  カレンダー
Ｓ１，Ｓ２，Ｓ３，〜，Ｓ１２  シート
Ｋ１，Ｋ２，Ｋ３，〜，Ｋ１２  暦
Ｒ１，Ｒ１，Ｒ１，〜，Ｒ１２  連結部
Ｈ１１，Ｈ１２，Ｈ２１，Ｈ２２，〜，Ｈ１１，Ｈ１２，Ｈ２１，Ｈ２２  つり下げ孔
Ｆ    フック
【図１】
2004255694.tif 000003
【図２】
2004255694.tif 000004
【図３】
2004255694.tif 000005
【図４】
2004255694.tif 000006